(57)【要約】【課題】開閉扉が開放された際には、貯蔵室の食品の温度上昇を抑制しつつ、開閉扉が閉められた後には、開閉扉内側の収納ラックに収納され飲料や食品を速やかに冷やせるようにする。【解決手段】前面に開口部を有する本体２内に貯蔵室６ａが形成され、裏面に収納ラック９を有する開閉扉７ａが本体２の開口部に取り付けられるとともに、本体２内の前面側上部に下向きに冷気を供給する冷気吹き出し口２０が設けられた冷蔵庫において、冷気吹き出し口２０に風向変更装置２１を設け、開閉扉７ａの収納ラック９に温度センサー１０を設け、収納ラック９の温度が高いときは風向変更装置２１の冷気吹き出し方向を収納ラック９側に指向させる。【選択図】　図２
2004061083.tif 000002
【特許請求の範囲】
【請求項１】
前面に開口部を有する本体内に貯蔵室が形成され、裏面に収納ラックを有する開閉扉が本体の開口部に取り付けられるとともに、本体内の前面側上部に下向きに冷気を供給する冷気吹き出し口が設けられた冷蔵庫において、前記冷気吹き出し口に風向変更装置を設け、前記開閉扉の収納ラックに温度センサーを設け、該収納ラックの温度が高いときは風向変更装置の冷気吹き出し方向を収納ラック側に指向させることを特徴とする冷蔵庫。
【請求項２】
前面に開口部を有する本体内に貯蔵室が形成され、裏面に収納ラックを有する開閉扉が本体の開口部に取り付けられるとともに、本体内の前面側上部に下向きに冷気を供給する冷気吹き出し口が設けられた冷蔵庫において、前記冷気吹き出し口に風向変更装置を設けるともに前記貯蔵室に温度センサーを設け、貯蔵室の温度が高いときは風向変更装置の冷気吹き出し方向を貯蔵室側に指向させることを特徴とする冷蔵庫。
【請求項３】
前面に開口部を有する本体内に貯蔵室が形成され、裏面に収納ラックを有する開閉扉が本体の開口部に取り付けられるとともに、本体内の前面側上部に下向きに冷気を供給する冷気吹き出し口が設けられた冷蔵庫において、前記冷気吹き出し口に風向変更装置を設け、前記開閉扉の収納ラックと貯蔵室にそれぞれ温度センサーを設け、収納ラックの温度が高いときは風向変更装置の冷気吹き出し方向を収納ラック側に指向させ、貯蔵室の温度が高いときは風向変更装置の冷気吹き出し方向を貯蔵室側に指向させることを特徴とする冷蔵庫。
【請求項４】
前記風向変更装置は冷気吹き出し口の開度を調整する風量変更装置を兼ねるものとし、前記冷気吹き出し口からの冷気吹き出し方向と風量をともに変化させることを特徴とする請求項１乃至請求項３のいずれかに記載の冷蔵庫。
【発明の詳細な説明】
【０００１】
【発明の属する技術分野】
本発明は、前面に開口部を有する本体内に貯蔵室が形成され、内側に収納ラックを有する開閉扉が本体の開口部に取り付けられるとともに、本体内の前面側上部に下向きに冷気を供給する冷気吹き出し口が設けられた冷蔵庫に関する。
【０００２】
【従来の技術】
この種の冷蔵庫では、本体内の前面側上部に下向きに冷気を供給する冷気吹き出し口が設けられているため、開閉扉を開放した際、所謂エアカーテンの働きにより、貯蔵室内に保存されている食品の温度が急激に上昇しないようにされている。
【０００３】
【発明が解決しようとする課題】
しかしながら、開閉扉が長い時間、開けられると、収納ラックに保存された飲料や食品の温度が急激に上昇し、開閉扉が閉められた後にこれらを冷やすのにかなりの時間を要していた。
【０００４】
そこで本発明は、上述のような点に鑑みて発明されたものであり、開閉扉が開放された際には、貯蔵室の食品の温度上昇を抑制しつつ、開閉扉が閉められた後には、開閉扉内側の収納ラックに収納され飲料や食品を速やかに冷やせるようにすることを目的とする。
【０００５】
【課題を解決するための手段】
このため第１の発明は、前面に開口部を有する本体内に貯蔵室が形成され、裏面に収納ラックを有する開閉扉が本体の開口部に取り付けられるとともに、本体内の前面側上部に下向きに冷気を供給する冷気吹き出し口が設けられた冷蔵庫において、前記冷気吹き出し口に風向変更装置を設け、前記開閉扉の収納ラックに温度センサーを設け、該収納ラックの温度が高いときは風向変更装置の冷気吹き出し方向を収納ラック側に指向させることを特徴とする。
【０００６】
第２の発明は、前面に開口部を有する本体内に貯蔵室が形成され、裏面に収納ラックを有する開閉扉が本体の開口部に取り付けられるとともに、本体内の前面側上部に下向きに冷気を供給する冷気吹き出し口が設けられた冷蔵庫において、前記冷気吹き出し口に風向変更装置を設けるともに前記貯蔵室に温度センサーを設け、貯蔵室の温度が高いときは風向変更装置の冷気吹き出し方向を貯蔵室側に指向させることを特徴とする。
【０００７】
第３の発明は、前面に開口部を有する本体内に貯蔵室が形成され、裏面に収納ラックを有する開閉扉が本体の開口部に取り付けられるとともに、本体内の前面側上部に下向きに冷気を供給する冷気吹き出し口が設けられた冷蔵庫において、前記冷気吹き出し口に風向変更装置を設け、前記開閉扉の収納ラックと貯蔵室にそれぞれ温度センサーを設け、収納ラックの温度が高いときは風向変更装置の冷気吹き出し方向を収納ラック側に指向させ、貯蔵室の温度が高いときは風向変更装置の冷気吹き出し方向を貯蔵室側に指向させることを特徴とする。
【０００８】
第４の発明は、第１乃至第３の発明において、前記風向変更装置は冷気吹き出し口の開度を調整する風量変更装置を兼ねるものとし、前記冷気吹き出し口からの冷気吹き出し方向と風量をともに変化させることを特徴とする。
【０００９】
【発明の実施の形態】
以下本発明の実施形態について、図１乃至図５を参照しつつ説明する。図１及び図２において、冷蔵庫１の本体２は、前面に開口部を有する鋼板製の外箱３と、この外箱３内に間隔を持たせて組み込まれ、前面に開口部を有する合成樹脂製の内箱４と、これら外箱３と内箱４との間に充填発泡された発泡ポリウレタン断熱材５とから構成されている。
【００１０】
内箱は上下に仕切る水平の仕切部によって上下４段に区画され貯蔵室が形成されている。最上段に冷蔵室６ａ、２段目に野菜室６ｂ、３段目に第１冷凍室６ｃ、４段目に第２冷凍室６ｄが配置されている。
【００１１】
これら各貯蔵室の前面開口側には、各貯蔵室に対応して開閉自在に密閉される開閉扉７ａ〜７ｄが設けられている。最上段の前記冷蔵室６ａには複数の食品棚８…が上下に間隔を置いて設けられている。また、冷蔵室６ａの前面開口部に設けられた開閉扉７ａ裏面には飲料や食品を収納する複数の収納ラック９が設けられている。そして、冷蔵室６ａの奥部には冷蔵室内温度を検出する冷蔵室温度センサー１０が設けられ、前記収納ラック９には収納ラックの温度を検出する収納ラック温度センサー１１が設けられている。
【００１２】
本体２の背面側下部にはコンプレッサ１２が設けられ、本体２内の各貯蔵室後方には冷蔵室６ａ及び野菜室６ｂに冷気を供給する冷蔵室用ダクト１３と、第１冷凍室６ｃ及び第２冷凍室６ｄに冷気を供給する冷凍室用ダクト１４が設けられている。そして、前記冷蔵室用ダクト１３内には、冷蔵室用蒸発器１５及び送風ファン１６が設けられている。また、前記冷凍室用ダクト１４には、冷凍室用蒸発器１７及び送風ファン１８が設けられている。
【００１３】
更に、冷蔵室用ダクト１３には天面ダクト１９が連通され、この天面ダクト１９には本体２内の前面側上部から下向きに冷気を供給する冷気吹き出し口２０が設けられている。そして、この冷気吹き出し口２０には、図３及び図４に示すように、風向変更装置２１が設けられている。この風向変更装置２１は円筒体２２と、円筒体２２を図５に示すように３つの位置に回転させるモータ２３とから成る。
【００１４】
前記円筒体２２には天面ダクト１９内の冷気を流入させる複数の流入口２４が所定間隔を存して形成され、これら流入口２４の反対側にハニカム状の流出部２５が円筒体２２とほぼ同じ長さを有して形成されている。そして、図示しない制御装置により、モータ２３で円筒体２２を３つの位置に回転させると、冷気吹き出し方向が変わるとともに、冷気吹き出し口２０を通過する風量が変わるようにしてあり、風向変更装置２１は風量変更装置を兼ねている。
【００１５】
即ち、収納ラック９と冷蔵室６ａがともに所定の温度に冷やされていると冷蔵室温度センサー１０及び収納ラック温度センサー１１が検出しているときは、制御装置はモータ２３の駆動制御をして、円筒体２２は図５の（ｂ）の位置にあり、流出部２５が下向きのため、天面ダクト１９の冷気は冷蔵室６ａの前面開口部に沿って下向きに流れる。また、このとき、円筒体２２の流入口２４が半分塞がれ、冷気吹き出し口２０の通過風量が中風量となる。このため、冷蔵室６ａの棚８に置かれた食品や収納ラック９に収納された飲料等が適度な温度に維持される。尚、収納ラック９及び冷蔵室６ａがともに所定の温度以上であることを、冷蔵室温度センサー１０及び収納ラック温度センサー１１が検出しているときにも、上述同様に、制御装置がモータ２３の駆動制御をして、円筒体２２を図５の（ｂ）の位置とする。
【００１６】
開閉扉７ａが開放され、収納ラック９の温度が所定温度より高いと収納ラック温度センサー１１が検出すると、制御装置はモータ２３を駆動して円筒体２２を図５の（ａ）の位置とする。このとき、天面ダクト１９内の冷気は開閉扉７ａの方向に指向され、円筒体２２の流入口２４が全開となり、冷気吹き出し口２０の通過風量が大風量となるため、開閉扉７ａ開放中はエアカーテンの作用により冷蔵室６ａの食品の温度上昇が抑制されるとともに、開閉扉７ａが閉められると、速やかに収納ラック９の飲料等が冷やされ、適度な温度に戻される。店頭展示のデモンストレーションにおいて、開閉扉７ａを開放した場合にも、冷気が大量に吹き出すのを顧客に実感してもらうこともできる。
【００１７】
冷蔵室６ａの棚に温かいものや熱いものを入れたときのように、冷蔵室温度センサー１０が冷蔵室６ａの温度上昇（所定温度以上）を検出した場合、制御装置はモータ２３を駆動して円筒体２２を図５の（ｃ）の位置とする。このとき、天面ダクト１９内の冷気は冷蔵室６ａの方向に指向され、円筒体２２の流入口２４が大きく塞がれて冷気吹き出し口２０の通過風量が小風量となるため、冷気が上部の棚８から下部の棚８へとゆっくりと流れ、棚８に置かれた食品を効率よく冷やすことができる。
【００１８】
以上本発明の実施形態について説明したが、上述の説明に基づいて当業者にとって種々の代替例、修正又は変形が可能であり、本発明はその趣旨を逸脱しない範囲で前述の種々の代替例、修正又は変形を包含するものである。
【００１９】
【発明の効果】
本発明によれば、前面に開口部を有する本体内に貯蔵室が形成され、裏面に収納ラックを有する開閉扉が本体の開口部に取り付けられるとともに、本体内の前面側上部に下向きに冷気を供給する冷気吹き出し口が設けられた冷蔵庫において、前記冷気吹き出し口に風向変更装置を設け、前記開閉扉の収納ラックに温度センサーを設け、該収納ラックの温度が高いときは風向変更装置の冷気吹き出し方向を収納ラック側に指向させるようにしたので、開閉扉が開放された際には、貯蔵室の食品の温度上昇を抑制しつつ、開閉扉が閉められた後には開閉扉裏面の収納ラックに収納された飲料や食品を速やかに、かつ、重点的に冷やすことができ、使い勝手に優れたものである。
【００２０】
また、第２及び第３の発明においては、貯蔵室のみの温度上昇にも対応することができ、更に第４の発明においては、エアカーテンの風向と風量を制御して、扉開閉時の収納ラックの温度上昇や貯蔵室の温度上昇に効率よく、対応できるものである。
【図面の簡単な説明】
【図１】本発明の一実施形態における冷蔵庫の正面図である。
【図２】同じく冷蔵庫の断面図である。
【図３】同じく天面ダクトの要部拡大斜視図である。
【図４】同じく内側から見た天面ダクトの要部拡大斜視図である。
【図５】同じく風向変更装置の３つの状態を示す説明図である。
【符号の説明】
１　　　　　　　　冷蔵庫
２　　　　　　　　本体
６ａ　　　　　　　冷蔵室（貯蔵室）
７ａ　　　　　　　開閉扉
９　　　　　　　　収納ラック
１０、１１　　　　温度センサー
１９　　　　　　　天面ダクト
２０　　　　　　　冷気吹き出し口
２１　　　　　　　風向変更装置
【図１】
2004061083.tif 000003
【図２】
2004061083.tif 000004
【図３】
2004061083.tif 000005
【図４】
2004061083.tif 000006
【図５】
2004061083.tif 000007